(57)【要約】      （修正有）【課題】リモコン操作により他のリモコンの室内機とのペアリングを解除できる空気調和機を提供する。【解決手段】使用者はメインリモコンを操作し、ペアリングを解除したいサブリモコンを表示部２３に表示させて確定キー２２ｐを押下する。確定キー２２ｐが押下されると、制御部は、サブリモコンと室内機とのペアリングを解除する旨のペアリング解除信号を室内機に送信する。ペアリング解除信号を受信した制御部は、サブリモコンとのペアリングを解除し、記憶部に記憶しているペアリング情報を更新する。そして、制御部は、更新したペアリング情報を用いて生成した新たなペアリング情報信号をメインリモコンに送信する。ペアリング情報信号を受信した制御部は、記憶部にペアリング情報信号に含まれる新たなペアリング情報を上書き記憶する。【選択図】図４
2015096779.tif 000002
【特許請求の範囲】
【請求項１】
空調運転を行う空気調和機本体と、
前記空気調和機本体を双方向通信により運転操作する複数のリモコンと、
前記空気調和機本体と複数の前記リモコンとをそれぞれペアリングするペアリング設定手段と、
を有する空気調和機であって、
複数の前記リモコンのうちの１台の前記リモコンは、前記空気調和機本体と他の前記リモコンとのペアリングを選択的に解除するペアリング解除手段を有する、
ことを特徴とする空気調和機。
【請求項２】
前記空気調和機本体は、同空気調和機本体とペアリングされている複数の前記リモコンの情報であるペアリング情報を保有し、
前記ペアリング解除手段を有する１台の前記リモコンは、前記空気調和機本体から前記ペアリング情報を入手し、同ペアリング情報を用いて前記空気調和機本体と他の前記リモコンとのペアリングを選択的に解除する、
ことを特徴とする請求項１に記載の空気調和機。
【発明の詳細な説明】
【技術分野】
【０００１】
本発明は、ペアリングにより複数のリモコンから空気調和機本体を運転操作できるようにした空気調和機に関する。
【背景技術】
【０００２】
従来、複数のリモコンで空気調和機本体（主に、室内機）を運転操作できるようにした空気調和機が知られている。このような空気調和機のうち、複数の部屋に配置された各々の室内機に対してリモコンが設けられ、全ての室内機とリモコンとの間の制御内容が同じものがある。
【０００３】
上記のような空気調和機では、制御内容が同じであるので、1台のリモコンで他の部屋の室内機も操作可能であれば便利である。そこで、リモコンとして、通信範囲が広く壁や家具等の遮蔽物が存在する場合でも確実に室内機を操作できるＲＦリモコン（高周波無線通信方式のリモコン）を使用するものがある。
【０００４】
通常、リモコンとしてＲＦリモコンを使用する場合は、使用者が意図する室内機のみを操作できるようにするために、空気調和機の使用前にリモコンと操作対象となる室内機とをペアとして登録する設定、所謂ペアリングを行う。そして、1台のリモコンで他の部屋の室内機も操作できるようにするために、１台のリモコンに対し複数の室内機との間でペアリングができる空気調和機が提案されている（例えば、特許文献１を参照）。
【先行技術文献】
【特許文献】
【０００５】
【特許文献１】特開２０１３−１０４６４５号公報
【発明の概要】
【発明が解決しようとする課題】
【０００６】
一般的に、ＲＦリモコンを使用する空気調和機では、ペアリングされているリモコンの識別情報（リモコンＩＤ）が室内機に記憶されており、リモコンと室内機とのペアリングを解除する場合は、室内機に備えられた操作部を操作（例えば、室内機に備えられたペアリング設定ボタンを数秒間長押し）することによって、記憶しているリモコンＩＤを消去することによってなされる。
【０００７】
しかし、上記のようなペアリングの解除方法では、室内機と全てのリモコンとのペアリングが一度に全て解除されてしまう。このため、リモコンの故障や紛失、あるいは、新機種への切り換えのために、現在室内機とペアリングされている複数のリモコンのうちの１台を新しいリモコンに入れ換えたい場合、一旦全てのリモコンとのペアリングを解除したのち、新しいリモコンを含めて全てのリモコンと室内機とのペアリングを再度行う必要があり、使用者にとってペアリングの作業が面倒になるという問題があった。
【０００８】
本発明は上記課題に鑑みてなされたものであり、１台のリモコンを操作することで室内機と他のリモコンとのペアリングを選択的に解除できる空気調和機を提供することを目的とする。
【課題を解決するための手段】
【０００９】
本発明は上述の課題を解決するものであって、本発明の空気調和機は、空調運転を行う空気調和機本体と、空気調和機本体を双方向通信により運転操作する複数のリモコンと、空気調和機本体と複数のリモコンとをそれぞれペアリングするペアリング設定手段とを有するものであって、複数のリモコンのうちの１台のリモコンは、空気調和機本体と他のリモコンとのペアリングを選択的に解除するペアリング解除手段を有するものある。
【発明の効果】
【００１０】
本発明の空気調和機は、１台の室内機に複数のリモコンがペアリングされている場合に、ペアリング解除手段により複数のリモコンのうちの１台のリモコンと室内機とのペアリングを選択的に解除できる。このため、リモコンの故障や紛失、あるいは、新機種への切り換えのために、現在室内機とペアリングされている１台のリモコンを新しいリモコンに入れ換えたい場合に、室内機と当該リモコンとのペアリングのみ解除できるので、使用者のペアリング作業が簡易となる。
【図面の簡単な説明】
【００１１】
【図１】本発明の実施形態における空気調和機の説明図であり、（Ａ）は室内機およびリモコンの概略図、（Ｂ）は室内機のパネル部拡大図である。
【図２】本発明の実施形態におけるリモコンの説明図であり、（Ａ）はリモコンの正面図、（Ｂ）は蓋を開けた状態でのリモコンの正面図である。
【図３】本発明の実施形態における、室内機およびリモコンのブロック図である。
【図４】ペアリング解除操作を説明する図面であり、（Ａ）はサブリモコンのペアリング状況を確認する場合の操作の説明図、（Ｂ）はペアリング解除操作を行う場合の説明図である。
【図５】ペアリング解除時に室内機とリモコンとの間で行われる通信説明図である。
【発明を実施するための形態】
【００１２】
以下、本発明に係る空気調和機の実施の形態を、添付図面に基づいて詳細に説明する。実施形態としては、１台の室内機に、室内機の持つ全ての機能の運転操作が行えるメインリモコンを１台、メインリモコンに比べて運転操作できる機能を制限したサブリモコンとして最大４台まで、ペアリングが行える空気調和機を例に挙げて説明する。尚、本発明は以下の実施形態に限定されることはなく、本発明の主旨を逸脱しない範囲で種々変形することが可能である。
【実施例】
【００１３】
まず、本発明に係る空気調和機の概略構成について説明する。図１（Ａ）に示すように、空気調和機１は、横長の略直方体形状を有する空気調和機本体である室内機１０と、図１（Ａ）では不図示である室外機５０とを有している。また、リモコンとしては、１台のメイン機であるメインリモコン２０と２台のサブ機であるサブリモコン３０、４０とを有している。尚、メインリモコン２０とサブリモコン３０、４０の構成は同じである。
【００１４】
この空気調和機１は、ＲＦモジュールによる双方向無線通信を利用し、メインリモコン２０やサブリモコン３０、４０から室内機１０に対して、それぞれ運転操作や各種設定を行うことができる。ここで、メインリモコン２０は、空気調和機１（室内機１０）の付属品であり、全ての機能の運転操作を室内機１０で受け付ける。また、サブリモコン３０、４０は、例えば、運転操作のうち運転開始／停止と設定温度変更のみ室内機１０が操作を受け付ける、というように操作できる機能を室内機１０側で制限するものであり、一般的には、室内機１０が設置されている部屋以外の部屋に設置されている室内機の付属品であって各室内機のメインリモコンに設定されているものである。
【００１５】
室内機１０は、図３に示すように、室内機１０の各部および室外機５０を制御する制御部１１と、各リモコンとのペアリングやペアリングの解除を行う際に操作されるペアリング設定部１２と、室内機１０の運転状態やタイマー設定の有無、各リモコンとのペアリング状態等を表示する表示部１３と、空気調和機１の制御に関わるプログラムやデータ、室内機１０にサブ機としてペアリングされているリモコンの識別情報（リモコンの品番や型名等）であるペアリング情報等を記憶する記憶部１４と、各リモコンと双方向無線通信を行うＲＦモジュールからなる送受信部１５と、時刻や時間を計測する計時部１６と、室外機５０との通信を行うインターフェイスである通信部１７と、室内機１０に備えられた図示しない室温センサや冷媒温度センサ等の検出結果を制御部１１に出力するセンサ入力部１８とを備えている。
【００１６】
上述した室内機１０の構成のうち、ペアリング設定部１２と表示部１３とは、図１（Ａ）に示す室内機１０の前面部右下に設けられたパネル部１０ａに配置されている。図１（Ｂ）に示すように、表示部１３は、運転表示部１３ａ、タイマー表示部１３ｂ、ハイパワー表示部１３ｃ、お知らせ表示部１３ｄ、の４つの表示部で構成され、パネル部１０ａには、左側から順にペアリング設定部１２、表示部を構成する運転表示部１３ａ、タイマー表示部１３ｂ、ハイパワー表示部１３ｃ、お知らせ表示部１３ｄ、というように配置されている。
【００１７】
ペアリング設定部１２は、後述する各リモコンとのペアリング設定／解除を行う際に操作されるボタンである。運転表示部１３ａ、タイマー表示部１３ｂ、ハイパワー表示部１３ｃ、お知らせ表示部１３ｄは、それぞれＬＥＤからなる。運転表示部１３ａは室内機１０の運転／停止を表し、例えば、運転時は点灯、停止時は消灯となる。タイマー表示部１３ｂはタイマー運転開始／停止の設定有無を表し、例えば、設定有りは点灯、設定無しは消灯となる。ハイパワー表示部１３ｃは空気調和機１がハイパワー運転（急速冷房運転／急速暖房運転）を行っているか否かを表し、例えば、ハイパワー運転中は点灯、ハイパワー運転を行っていないときは消灯となる。お知らせ表示部１３ｄは、例えば、室内機１０に備えられた図示しない防塵フィルタの清掃時期を表し、清掃時期となれば点灯、そうでない場合は消灯となる。
【００１８】
尚、ハイパワー表示部１３ｃとお知らせ表示部１３ｄとは、各リモコンとのペアリングがなされているか否かを表す表示部を兼ねている。具体的には、ハイパワー表示部１３ｃがメインリモコンがペアリング済か否かを表し、お知らせ表示部１３ｄがサブリモコンがペアリング済か否かを表し、それぞれペアリング済みの場合には消灯、まだペアリングされていない場合には点灯、となる。尚、室内機１０の設置後に室内機１０に初めて電源が投入されたときは、室内機１０と各リモコンとのペアリングはなされていないため、ハイパワー表示部１３ｃとお知らせ表示部１３ｄとが点灯する。そして、メインリモコンと室内機１０とのペアリングがなされれば、ハイパワー表示部１３ｃが消灯しお知らせ表示部１３ｄのみ点灯する。
【００１９】
次に、メインリモコン２０とサブリモコン３０、４０について説明する。前述したように、メインリモコン２０とサブリモコン３０、４０の構成は同じであるため、以下の説明ではメインリモコン２０について説明し、サブリモコン３０、４０についての説明は省略する。尚、メインリモコン２０の構成に付与した番号の十の位を２０番台から３０番台および４０番台にそれぞれ変更したものが、メインリモコン２０の構成に対応するサブリモコン３０、４０の構成となる。
【００２０】
メインリモコン２０は、図３に示すように、使用者の操作を受け付ける操作部２２と、運転情報や使用者が操作する際の操作画面等を表示する表示部２３と、メインリモコン２０の制御に関わるプログラムやデータ、空気調和機１の現在の運転情報データ等を記憶する記憶部２４と、室内機１０と双方向無線通信を行うＲＦモジュールからなる送受信部２５と、時刻や時間を計測する計時部２６と、使用者の操作に応じた室内機１０の制御や表示部２３に表示する画像データの表示制御を行う制御部２１とを備えている。
【００２１】
メインリモコン２０の筐体表面には、図２に示すように、表示部２３や操作部２２が備えられている。表示部２３は、メインリモコン２０の筐体表面上側に配置されており、ＬＣＤ（液晶ディスプレイ）や有機ＥＬ（有機エレクトロルミネッセンス）等で構成されている。
【００２２】
操作部２２は、多数の操作キーで構成され、図２（Ａ）に示すように、メインリモコン２０の筐体表面の略中央部から筐体表面下側にかけて配置され、また、図２（Ｂ）に示すように、筐体表面下側に設けられている蓋２０ａを開けた内部にも操作キーが配置されている。
【００２３】
メインリモコン２０の筐体表面には、図２（Ａ）に示すように、メインリモコン２０が有する機能の選択に使用する十字キー２２ａ、選択した機能を決定する決定キー２２ｂ、運転開始と運転停止を行う運転／停止キー２２ｃ、上下の矢印ボタンで設定温度を変更する温度キー２２ｄ、風量の変更設定を行う風量キー２２ｅ、冷房運転モードでの運転開始や他の運転モードから冷房運転モードに切り換える冷房キー２２ｆ、暖房運転モードでの運転開始や他の運転モードから暖房運転モードに切り換える暖房キー２２ｅ、除湿運転モードでの運転開始や他の運転モードから除湿運転モードに切り換える除湿キー２２ｈ、および、送風運転モードでの運転開始や他の運転モードから送風運転モードに切り換える送風キー２２ｉ、等が配置されている。
【００２４】
一方、蓋２０ａの内部には、図２（Ｂ）に示すように、空気調和機１の詳細設定を行う操作キーが配置されている。具体的には、環境温度に応じて運転モードを自動で選択するモードに切り換える自動運転キー２２ｊ、急速な暖房や冷房を行うハイパワーキー２２ｋ、時間によって空気調和機１の運転開始／停止を制御するタイマーキー２２ｍ、メインリモコン２０が有する機能を表示部２３に表示する機能キー２２ｎ、選択した機能を確定する確定キー２２ｐ、および、メインリモコン２０とペアリング設定している全ての室内機を表示部２３に表示する登録エアコンキー２２ｑ、等が配置されている。
【００２５】
以上説明した室内機１０とメインリモコン２０およびサブリモコン３０、４０とには、ペアリング設定手段が設けられている。具体的には、室内機１０では、制御部１１とペアリング設定部１２と送受信部１５とで室内機１０のペアリング設定手段が構成される。一方、メインリモコン２０およびサブリモコン３０、４０では、制御部２１、３１、４１と後述する操作部２２、３２、４２の操作キーの一部と送受信部２５、３５、４５とでメインリモコン２０およびサブリモコン３０、４０のペアリング設定手段が構成される。
【００２６】
本実施形態の空気調和機１のようにＲＦモジュールを用いて双方向無線通信を行う場合は、使用者がリモコンを操作することで意図しない室内機を操作してしまう可能性がある。そこで、ＲＦモジュールを用いて双方向無線通信を行う空気調和機では、使用者が意図する室内機のみを操作できるように事前に室内機と各リモコンとのペアリングを行う必要がある。具体的には、本実施形態では、メインリモコン２０を室内機１０に対するメイン機として室内機１０とペアリングするとともに、サブリモコン３０および４０を室内機１０に対するサブ機として室内機１０とペアリングする。
以下に、メインリモコン２０をメイン機としてペアリングする方法、および、サブリモコン３０、４０をサブ機としてペアリングする方法、についてそれぞれ説明する。
【００２７】
（メイン機のペアリング）
室内機１０は、工場出荷時にはリモコンとのペアリングがなされていないため、室内機１０の設置後に初めて室内機１０に電源を投入すると、制御部１１はメイン機やサブ機がペアリングされていないことを検知する。次に、制御部１１は、図１（Ｂ）に示す表示部１３のハイパワー表示部１３ｃとお知らせ表示部１３ｄとを点灯させ、室内機１０がメイン機およびサブ機のペアリング待ちであることを使用者に報知する。
【００２８】
次に、使用者がメイン機としたいメインリモコン２０に電池を装着するか、あるいは、電池が装着されている場合に操作部２２のいずれかの操作キーを押下すると、メインリモコン２０の制御部２１は、表示部２３に室内機１０とのペアリングを行う際の操作を案内する初期設定画面（不図示）を表示する。使用者は、この初期設定画面の表示内容に従って、室内機１０とのペアリングを行う。ペアリングの操作としては、例えば、まず最初に室内機１０のペアリング設定部１２を５秒間押下し続けて室内機１０をメイン機ペアリング待ちの状態とし、次にメインリモコン２０の運転／停止キー２２ｃと確定キー２２ｐとを同時に押下する。
【００２９】
使用者が室内機１０のペアリング設定部１２を５秒間押下すると、制御部１１は、メイン機ペアリング待ちの状態であることを図示しないブザーの発音、表示部１３の点灯や点滅（例えば、運転表示部１３ａやタイマー表示部１３ｂの点灯や点滅）等で示す。
【００３０】
また、使用者がメインリモコン２０の運転／停止キー２２ｃと確定キー２２ｐとを同時に押下すると、制御部２１は、送受信部２５を介してメインリモコン２０のＩＤを用いて生成したペアリング要求信号を室内機１０に送信する。室内機１０の制御部１１は、送受信部１５を介して受信したペアリング要求信号に含まれるメインリモコン２０のＩＤを用いて、ペアリング要求信号を送信したメインリモコン２０がメイン機ペアリングが可能なリモコンであるか否かを確認する。具体的には、室内機１０の記憶部１４には、室内機１０とペアリング可能なリモコンのＩＤが予め記憶されており、室内機１０の制御部１１は、受信したペアリング要求信号に含まれるメインリモコン２０のＩＤと記憶部１４に記憶しているＩＤとを照合して、メインリモコン２０がメイン機ペアリングが可能なリモコンであるか否かを確認する。
【００３１】
室内機１０の制御部１１は、メインリモコン２０がメイン機ペアリングが可能なリモコンであると確認すれば、メインリモコン２０から受信したペアリング要求信号に含まれるメインリモコン２０のＩＤを記憶部１４に記憶し、送受信部１５を介してペアリングが完了した旨のペアリング完了信号をメインリモコン２０に送信する。送受信部２５を介してペアリング完了信号を受信したメインリモコン２０の制御部２１は、送受信部２５を介してペアリング完了信号を受信した旨の信号を室内機１０に送信する。
【００３２】
以上の動作により、室内機１０とメインリモコン２０とがペアリングされる。メイン機のペアリングが完了した室内機１０の制御部１１は、表示部１３のハイパワー表示部１３ｃを消灯して、使用者にメイン機はペアリング済であることを報知するとともに、サブ機のペアリング待ちの状態を継続する。
【００３３】
（サブ機のペアリング）
次に、メイン機としてメインリモコン２０がペアリング済みの室内機１０に対し、使用者がサブ機としたいサブリモコン３０、４０に電池を装着するか、あるいは、電池が装着されている場合に操作部３２、４２のいずれかの操作キーを押下すると、、サブリモコン３０、４０の制御部３１、４１は、表示部３３、３４にペアリング設定の操作を案内する初期設定画面（不図示）を表示する。使用者は、この初期設定画面の表示内容に従って、サブリモコン３０、４０のペアリングを行う。尚、サブリモコン３０、４０と室内機１０とのペアリングの操作については、メインリモコン２０と室内機１０とのペアリングの操作と同様であるため、説明は省略する。
【００３４】
以上の動作により、室内機１０とサブリモコン３０、４０とがペアリングされる。サブ機のペアリングが完了した室内機１０の制御部１１は、表示部１３のお知らせ表示部１３ｄを消灯して、使用者にサブ機はペアリング済であることを報知する。尚、室内機１０にサブリモコン３０、４０をサブ機としてペアリングする際に、サブリモコン３０、４０に名称を付与することが可能であり、例えば、サブリモコン３０、４０がメインリモコンとしてペアリング設定されている室内機が設置されている部屋の名前（「寝室」、「リビング」、「子供部屋」、等）を付与することで、サブリモコン３０、４０の識別ができる。
【００３５】
（サブ機のペアリング解除）
次に、図２乃至図５を使用して、室内機１０にサブ機としてペアリングされている１台のサブリモコンのペアリングを解除する方法について説明する。以下の説明では、室内機１０がリビングルームに設置されており、サブリモコン３０が寝室に設置されている室内機のメインリモコンとしてペアリングされており、サブリモコン４０が子供部屋に設置されている室内機のメインリモコンとしてペアリングされているものとし、メインリモコン２０に設けられたペアリング解除手段によって室内機１０とサブリモコン４０とのサブ機ペアリングを解除する場合を例に挙げて説明する。
【００３６】
尚、ペアリング解除手段は、各リモコンの制御部２１、３１、４１と操作部２２、３２、４２と表示部２３、３３、４３と記憶部２４、３４、４４と送受信部２５、３５、４５とで構成されるが、室内機１０がペアリング解除手段によるサブ機ペアリングの解除を受け付けるのは、メイン機ペアリングされているメインリモコン２０のペアリング解除手段によるペアリング解除のみである。また、メインリモコン２０と室内機１０とのペアリングの解除は、例えば、室内機１０のペアリング設定部１２を１０秒間長押しすることによって行うことができ、メインリモコン２０と室内機１０とのペアリングの解除を行った場合は、室内機１０にペアリングされている全てのリモコン（サブリモコン３０、４０）とのペアリングも同時に解除される。
【００３７】
また、サブリモコン３０、４０を室内機１０にペアリングする際に、サブリモコン３０には「寝室」、サブリモコン４０には「子供部屋」という名称が付与されており、図４を用いて後述するように、表示部２３にサブリモコン３０、４０を表示させたときには、これら名称が表示される。また、前述したように、室内機１０の記憶部１４には、室内機１０とペアリングを行った各リモコンのＩＤや各リモコンのペアリング時に付与された名称で構成されるペアリング情報が記憶されている。
【００３８】
まず、使用者は、メインリモコン２０の操作部２２の機能キー２２ｎを操作して表示部２３に空気調和機１の機能メニューを表示させる。使用者が表示部２３に空気調和機１の機能メニューを表示させた状態で十字キー２２ａを操作すると、複数ある空気調和機１の機能メニューが順に表示される。使用者は、図２（Ａ）の画面ａに示すように、表示部２３に「サブリモコン解除」機能メニューが表示されれば、決定キー２２ｂを押下してサブリモコン解除機能を選択する。
【００３９】
サブリモコン解除機能が選択されると、メインリモコン２０の制御部２１は、図５に示すように、送受信部２５を介して室内機１０が保有するペアリング情報を要求するペアリング確認信号を、室内機１０に送信する。
【００４０】
送受信部１５を介してペアリング確認信号を受信した室内機１０の制御部１１は、記憶部１４に記憶しているペアリング情報を読み出し、このペアリング情報を用いて生成したペアリング情報信号を送受信部１５を介してメインリモコン２０に送信する。
【００４１】
送受信部２５を介してペアリング情報信号を受信したメインリモコン２０の制御部２１は、ペアリング情報信号に含まれるペアリング情報を記憶部２４に記憶する。この状態で、使用者が十字キー２２ａを操作すれば、図４（Ａ）に示すように、制御部２１が記憶部２４に記憶したペアリング情報を読み出しこれを表示部２３に表示するので、使用者は、室内機１０にサブ機としてペアリングされているリモコンを確認できる。例えば、使用者が十字キー２２ａの右矢印ボタンを押下すると、図４（Ａ）の画面ｂのように、「サブ１  寝室」と表示され、寝室用の室内機のメインリモコンであるサブリモコン３０がサブ機としてペアリングされていることが表示される。この後、十字キー２２ａの右矢印ボタンを押下する毎に、表示部２３の表示が、画面ｃ：「サブ２  子供部屋」→画面ｄ：「サブ３  未登録」→画面ｅ：「サブ４  未登録」、と変わり、以降同じ操作をする毎に表示部２３の表示が、画面ａ→画面ｂ→画面ｃ・・・と順次変わっていく。
【００４２】
使用者は、上述したように十字キー２２ａを操作し、ペアリングを解除したいサブリモコン４０を表示部２３に表示させる。具体的には、図４（Ｂ）に示すように、画面ａ（図４（Ａ）の画面ａと同じ）から十字キー２２ａを操作して画面ｃ（図４（Ａ）の画面ｃと同じ）に示すように、「サブ２  子供部屋」を表示部２３に表示させる。
【００４３】
そして、使用者は、画面ｃを表示させた状態で、確定キー２２ｐを押下する。確定キー２２ｐが押下されると、図５に示すように、メインリモコン２０の制御部２１は、サブリモコン４０と室内機１０とのペアリングを解除する旨のペアリング解除信号を、送受信部２５を介して室内機１０に送信する。
【００４４】
送受信部１５を介してペアリング解除信号を受信した室内機１０の制御部１１は、サブリモコン４０のＩＤや名称を記憶部１４のペアリング情報から消去することでサブリモコン４０とのペアリングを解除する。そして、制御部１１は、サブリモコン４０のＩＤや名称を消去した新たなペアリング情報（更新したペアリング情報）を用いて生成したペアリング情報信号を、送受信部１５を介してメインリモコン２０に送信する。
【００４５】
送受信部２５を介してペアリング情報信号を受信したメインリモコン２０の制御部２１は、記憶部２４にペアリング情報信号に含まれる新たなペアリング情報を上書き記憶する。これにより、図４（Ｂ）の画面ｆに示すように、表示部２３における「サブ２  子供部屋」が[解除]となる。この後、使用者が前述した手順により表示部２３にペアリング情報を表示させてサブとしてペアリングされているリモコンを確認するとき、図４（Ａ）の画面ｃの表示が画面ｄや画面ｅのように変わる、具体的には、表示部２３の画面表示が「サブ２  子供部屋」から「サブ２  未登録」と表示が変わる。
【００４６】
以上説明したように、本実施形態における空気調和機１およびメインリモコン２０では、メインリモコン２０に設けられたペアリング解除手段によって、サブリモコン４０と室内機１０とのペアリングを選択的に解除できる。これにより、サブリモコン４０が故障する、あるいは、サブリモコン４０を紛失する、あるいは、サブリモコン４０を新しい機種に変更する、等によって、サブリモコン４０を新しいリモコンに交換する場合に、メインリモコン２０を操作することでサブリモコン４０とのペアリングのみを解除できる。従って、サブリモコン４０のみ交換が必要となったときに、メインリモコン２０やサブリモコン３０と室内機１０とのペアリングまで解除されることがないので、使用者は、サブリモコン４０のペアリング解除操作と新しいリモコンと室内機１０とのペアリングのみを行えばよく、室内機１０とサブリモコン４０とのペアリングを全て解除した後、全てのリモコンと室内機１０とのペアリングを再度行う必要がなくなる。
【００４７】
尚、以上説明した実施形態では、ペアリング情報を室内機１０の記憶部１４に記憶し、メインリモコン２０で室内機１０とサブリモコンとのペアリングの解除を行うときに、ペアリング情報を記憶部１４から読み出してメインリモコン２０に送信する場合について説明したが、ペアリング情報をメインリモコン２０の記憶部２４に記憶し、室内機１０とサブリモコンとのペアリングの解除を行うときは記憶部２４からペアリング情報を読み出すようにしてもよい。
【００４８】
また、室内機１０がメインリモコン２０のペアリング解除手段によるサブリモコンのペアリング解除のみ受け付ける場合を説明したが、サブリモコン３０や４０のペアリング解除手段による他のサブリモコンのペアリングの解除を受け付けるようにしてもよい。あるいは、室内機１０にペアリング解除手段を設け、室内機１０でサブリモコンのペアリングの解除を行うようにしてもよい。
【００４９】
以上説明した通り、本発明の空気調和機は、１台の室内機に複数のリモコンがペアリングされている場合に、ペアリング解除手段により複数のリモコンのうちの１台のリモコンと室内機とのペアリングを選択的に解除できる。このため、リモコンの故障や紛失、あるいは、新機種への切り換えのために、現在室内機とペアリングされている１台のリモコンを新しいリモコンに入れ換えたい場合に、室内機と当該リモコンとのペアリングのみ解除できるので、室内機と全てのサブリモコンとのペアリングを解除した後、必要なリモコンと室内機とのペアリングを再度行う必要がなくなり、使用者のペアリング作業が簡易となる。
【符号の説明】
【００５０】
１  空気調和機
１０  室内機
１０ａ  パネル部
１１  制御部
１２  ペアリング設定部
１３  表示部
２０  メインリモコン
２１  制御部
２２  操作部
２２ａ  十字キー
２２ｂ  決定キー
２２ｎ  機能キー
２２ｐ  確定キー
２３  表示部
３０  サブリモコン
４０  サブリモコン
５０  室外機
【図１】
2015096779.tif 000003
【図２】
2015096779.tif 000004
【図３】
2015096779.tif 000005
【図４】
2015096779.tif 000006
【図５】
2015096779.tif 000007